(57)【特許請求の範囲】
【請求項１】
ユーザ端末（ＵＥ）からのデータをアップリンク伝送するための方法であって、
・  前記データが少なくとも２つの基地局（ｅＮＢ１、ｅＮＢ２、ｅＮＢ３）によって無線インタフェース上で受信され、
・  前記少なくとも２つの基地局（ｅＮＢ２、ｅＮＢ３）のうちの少なくとも１つが、少なくとも１つの処理レベルで、前記受信したデータの少なくとも１つの品質を決定し、
・  前記少なくとも２つの基地局（ｅＮＢ２、ｅＮＢ３）のうちの前記少なくとも１つが、少なくとも１つの処理レベルの前記受信したデータの前記少なくとも１つの品質に基づいて、前記データを協調デバイス（ｅＮＢ１）に送信するために使用されることになる前記データの個々の専用処理レベルを決定し、
・  前記少なくとも２つの基地局（ｅＮＢ２、ｅＮＢ３）のうちの前記少なくとも１つが、前記少なくとも２つの基地局（ｅＮＢ２、ｅＮＢ３）のうちの前記少なくとも１つによって決定された前記個々の専用処理レベルで前記データを前記協調デバイス（ｅＮＢ１）に送信し、
・  かつ、前記協調デバイス（ｅＮＢ１）が、前記少なくとも２つの基地局（ｅＮＢ２、ｅＮＢ３）のうちの前記少なくとも１つから送信された前記データによって復号データを決定する
方法。
【請求項２】
前記協調デバイス（ｅＮＢ１）が、前記復号データを決定する前に、少なくとも２つの基地局（ｅＮＢ１、ｅＮＢ２、ｅＮＢ３）からのデータを結合する、請求項１に記載の方法。
【請求項３】
前記協調デバイス（ｅＮＢ１）が専用基地局である、請求項１または２に記載の方法。
【請求項４】
前記少なくとも１つの処理レベルが、トランスポート・ブロック・レベル、コード・ブロック・レベル、ソフト・ビット・レベルおよびＩＱデータ・レベルのうちの少なくとも１つである、請求項１に記載の方法。
【請求項５】
前記少なくとも２つの基地局（ｅＮＢ２、ｅＮＢ３）のうちの前記少なくとも１つが、迂回中継帯域幅容量、迂回中継遅延および迂回中継負荷のうちの少なくとも１つに応じて、前記データを前記協調デバイス（ｅＮＢ１）に送信するために使用されることになる前記データの前記専用処理レベルを決定する、請求項１に記載の方法。
【請求項６】
前記少なくとも２つの基地局（ｅＮＢ２、ｅＮＢ３）のうちの前記少なくとも１つが、少なくとも１つの処理レベルの前記受信したデータの前記少なくとも１つの品質が定義済みの値より大きい場合にのみ、前記データを前記協調デバイス（ｅＮＢ１）に送信する、請求項１に記載の方法。
【請求項７】
前記少なくとも２つの基地局（ｅＮＢ２、ｅＮＢ３）のうちの前記少なくとも１つが、前記受信したデータの前記少なくとも１つの品質が少なくとも１つの処理レベルに対する所定の値以下である場合、ＮＡＣＫメッセージを前記協調デバイス（ｅＮＢ１）に送信する、請求項１に記載の方法。
【請求項８】
前記協調デバイス（ｅＮＢ１）が、前記データがどの無線リソースで前記ユーザ端末（ＵＥ）から前記少なくとも２つの基地局（ｅＮＢ２、ｅＮＢ３）のうちの前記少なくとも１つに送信されるかを示すスケジューリング情報を、前記少なくとも２つの基地局（ｅＮＢ２、ｅＮＢ３）のうちの前記少なくとも１つに送信する、請求項１に記載の方法。
【請求項９】
前記少なくとも２つの基地局（ｅＮＢ２、ｅＮＢ３）のうちの前記少なくとも１つが、前記少なくとも２つの基地局（ｅＮＢ２、ｅＮＢ３）のうちの前記少なくとも１つから前記協調デバイス（ｅＮＢ１）に送信されることになる前記データを決定するために、他のユーザ端末から受け取った信号をＩＱデータ・レベルで信号全体から除去する、請求項４に記載の方法。
【請求項１０】
無線通信のための基地局（ｅＮＢ２、ｅＮＢ３）であって、前記基地局（ｅＮＢ２、ｅＮＢ３）が、
・  ユーザ端末（ＵＥ）から送信されたデータを受信し、
・  少なくとも１つの処理レベルで、前記受信したデータの少なくとも１つの品質を決定し、
・  少なくとも１つの処理レベルの前記受信したデータの前記少なくとも１つの品質に基づいて、前記データを協調デバイス（ｅＮＢ１）に送信するために使用されることになる前記データの個々の専用処理レベルを決定し、
・  かつ、前記決定された個々の専用処理レベルで前記データを前記協調デバイス（ｅＮＢ１）に送信する
ように適合された少なくとも１つの処理手段を備えた基地局（ｅＮＢ２、ｅＮＢ３）。
【請求項１１】
請求項１０に記載の基地局（ｅＮＢ２、ｅＮＢ３）を備えた、無線通信のための通信ネットワーク（ＣＮ）。
【発明の詳細な説明】
【技術分野】
【０００１】
本発明は、請求項１のプリアンブルに記載のアップリンク伝送のための方法、請求項１０のプリアンブルに記載の基地局、請求項１１のプリアンブルに記載の協調デバイス、および請求項１３のプリアンブルに記載の通信ネットワークに関する。
【背景技術】
【０００２】
多地点協調（Ｃｏｏｒｄｉｎａｔｅｄ  ｍｕｌｔｉｐｏｉｎｔ）（ＣｏＭＰ）送信および受信スキームは、主として高データ速度のカバレージおよびセル端スループットを改善するための、また、同じく、例えばＴｈｉｒｄ  Ｇｅｎｅｒａｔｉｏｎ  Ｐａｒｔｎｅｒｓｈｉｐ  ｓｐｅｃｉｆｉｃａｔｉｏｎ  ３ＧＰＰ  ＴＲ３６．８１４  ＶＯ．４．１（２００９−０２）に示されているシステム・スループットを改善するための、例えばＬＴＥ−Ａｄｖａｎｃｅｄ（ＬＴＥ＝Ｌｏｎｇ  Ｔｅｒｍ  Ｅｖｏｌｕｔｉｏｎ）あるいはＷｉＭＡＸ（ＷｉＭＡＸ＝Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のような無線通信規格のための潜在的候補である。
【０００３】
多地点協調送信および受信は、少なくとも、それぞれ２つの送信点および受信点の間に適用される。
【０００４】
多地点協調受信には、ユーザ端末から例えばセルの役割を果たしている基地局のようないくつかの遠隔位置デバイスに伝送されたアップリンク信号の受信が利用されている。
【０００５】
多地点協調アップリンクを実施するために、協調領域またはグループ内における、例えばＬＴＥ−Ａｄｖａｎｃｅｄにおけるｅｎｈａｎｃｅｄ  ＮｏｄｅＢｓ（ｅＮＢｓ）のような基地局は、異なる基地局からのデータを評価するために、それらがそれらの個々の無線インタフェースで受け取ったデータを協調デバイス、例えばマスタ基地局または外部多地点協調デバイスに、好ましくはいわゆるＸ２インタフェース、すなわち迂回中継を介して転送している。
【先行技術文献】
【非特許文献】
【０００６】
【非特許文献１】Ｔｈｉｒｄ  Ｇｅｎｅｒａｔｉｏｎ  Ｐａｒｔｎｅｒｓｈｉｐ  ｓｐｅｃｉｆｉｃａｔｉｏｎ  ３ＧＰＰ  ＴＲ３６．８１４  ＶＯ．４．１（２００９−０２）
【発明の概要】
【発明が解決しようとする課題】
【０００７】
本発明の目的は、多地点協調アップリンクのための柔軟なリソース節約方法を提案することである。
【課題を解決するための手段】
【０００８】
この目的は、請求項１の教示による方法、請求項１０の教示による基地局、請求項１１の教示による協調デバイス、および請求項１３の教示による通信ネットワークによって達成される。
【０００９】
本発明によれば、基地局から協調デバイスへ転送されるデータは、例えばいわゆるトランスポート・ブロックまたはコード・ブロックのような異なる処理レベルのデータ、いわゆるソフト・ビット・レベルのデータ、あるいはいわゆるＩＱデータ・レベルのデータからなっていてもよい。処理レベルのこの順序は、トランスポート・ブロックに対して実施される最大処理努力で始まり、かつ、ＩＱデータ・レベルに対して実施される最小処理努力で終わる処理レベルに対して実施される処理努力の順序を反映している。ユーザ端末からデータを直接受け取った基地局によって実施される予備処理が多ければ多いほど、協調デバイスに転送しなければならないデータが少なくなり、したがってＸ２インタフェース迂回中継の必要性が少なくなる。しかしながら他方では、予備処理されるデータが多ければ多いほど、協調デバイスが異なる基地局からのデータを結合することによって達成することができる結合利得が小さくなる。
【００１０】
本発明によれば、協同基地局から協調デバイスに報告するために使用されるデータの処理レベルは、例えばデコーディング・サクセスのような品質、異なる処理レベル、すなわちトランスポート・ブロック・レベル（Ｔｒａｎｓｐｏｒｔ  Ｂｌｏｃｋ  Ｌｅｖｅｌ）、コード・ブロック・レベル（Ｃｏｄｅ  Ｂｌｏｃｋ  Ｌｅｖｅｌ）、ソフト・ビット・レベル（Ｓｏｆｔ  Ｂｉｔ  Ｌｅｖｅｌ）、またはＩＱデータ・レベル（ＩＱ  Ｄａｔａ  Ｌｅｖｅｌ）に応じて動的に選択される。基地局は、協調デバイスへのデータ報告のために、最少量のデータであって、依然として例えば許容可能デコーディング・サクセスのような許容可能品質を提供するデータが転送される処理レベルを選択する。
【００１１】
一方、協調デバイスは、異なる基地局から転送されるデータを使用して、例えば基地局から伝送された復号データの中から許容可能品質を有する復号データを選択することによって復号データを決定し、あるいはデータを復号する前に、複数の基地局からのデータを結合することによって復号データを決定する。
【００１２】
要約すると、本発明の主な着想は、ユーザ端末からのデータの無線アップリンク伝送のための方法であって、少なくとも２つの基地局によってデータが受信され、前記少なくとも２つの基地局のうちの少なくとも１つが、少なくとも１つの処理レベルで、受信したデータの少なくとも１つの品質を決定し、前記少なくとも２つの基地局のうちの少なくとも１つが、少なくとも１つの処理レベルの受信したデータの前記少なくとも１つの品質に基づいて、データを協調デバイスに送信するために使用されることになるデータの個々の専用処理レベルを決定し、前記少なくとも２つの基地局のうちの少なくとも１つが、前記少なくとも２つの基地局のうちの前記少なくとも１つによって決定された個々の専用処理レベルでデータを協調デバイスに送信し、また、協調デバイスが、前記少なくとも２つの基地局のうちの少なくとも１つから送信されたデータによって復号データを決定する方法である。
【００１３】
本発明の他の展開は、従属請求項および以下の説明より収集することができる。
【００１４】
以下、本発明について、添付の図面を参照してさらに説明する。
【図面の簡単な説明】
【００１５】
【図１】本発明を実施することができる多地点協調受信のためのマスタ基地局および２つのスレーブ基地局を備えた通信ネットワークを概略的に示す図である。
【図２】本発明による、基地局から協調デバイスにデータを送信するために使用することができる、データの処理レベルを選択するための流れ図を概略的に示す図である。
【図３】本発明による多地点協調受信のための、２つの基地局からマスタ基地局への異なる処理レベルのデータ伝送の一例を概略的に示す図である。
【発明を実施するための形態】
【００１６】
図１は、本発明を実施することができる多地点協調受信のための通信ネットワークＣＮの原理構造を示したものである。通信ネットワークＣＮは、マスタ基地局ｅＮＢ１、２つのスレーブ基地局ｅＮＢ２、ｅＮＢ３およびユーザ端末ＵＥを備えている。
【００１７】
マスタ基地局ｅＮＢ１および２つのスレーブ基地局ｅＮＢ２、ｅＮＢ３は、図１に実線で示されているいわゆる論理Ｘ２インタフェースによってそれぞれ互いに接続されている。しかしながら、本発明の場合、これらの基地局の間に確立される接続の種類は重要ではなく、したがって代替実施形態では、任意の種類の無線または固定迂回中継接続をこれらの基地局間に使用して本発明を実施することができる。
【００１８】
ユーザ端末ＵＥは、図１に矢印の記号で示されている無線接続によってマスタ基地局ｅＮＢ１および２つのスレーブ基地局ｅＮＢ２、ｅＮＢ３に接続されている。一方、マスタ基地局ｅＮＢ１およびスレーブ基地局ｅＮＢ２、ｅＮＢ３は、図面を簡潔にするために図１には示されていないコア・ネットワークに直接または間接的に接続されている。
【００１９】
以下、本発明について、ＬＴＥ−Ａｄｖａｎｃｅｄにおけるアプリケーションに関連して説明するが、本発明は、例えばＷｉＭＡＸのような他の規格に対しても同様の方法で適用することができる。
【００２０】
ユーザ端末ＵＥは、マスタ基地局ｅＮＢ１および２つのスレーブ基地局ｅＮＢ２、ｅＮＢ３に無線接続を介してデータを送信する。図１に示されている例では、２つのスレーブ基地局ｅＮＢ２、ｅＮＢ３しか使用されていないが、他の実施形態では、任意の数のスレーブ基地局を使用して本発明による方法を実施することができる。
【００２１】
ユーザ端末ＵＥから伝送すべきデータは、トランスポート・ブロックの中にパックされる。ＬＴＥの場合、アップリンク・トランスポート・ブロック毎に、例えば２４ビットの巡回冗長検査（ＣＲＣ）が計算され、かつ、追加される。
【００２２】
ＬＴＥの場合、トランスポート・ブロックが例えば６１４４ビットの特定のサイズを超えると、個々のトランスポート・ブロックがコード・ブロックに区分化され、また、複数のコード・ブロックがトランスポート・ブロックの中に存在している場合、コード・ブロック毎に同じく巡回冗長検査（ＣＲＣ）が計算され、かつ、挿入される。さらに、コード・ブロック区分化には、場合によっては充填ビット挿入を含むことができる。
【００２３】
次に、例えば、ＬＴＥの場合、１／３のレートのＴｕｒｂｏコーディングを使用してコード・ブロック・データが符号化される。
【００２４】
Ｔｕｒｂｏエンコーダから引き渡されたビット・ストリームを伝送時間インターバル（ＴＴＩ）内に伝送するための適切なセットのビットに分割するために、レート整合および物理層ハイブリッド自動再送要求（ＨＡＲＱ）が実施される。
【００２５】
その後、干渉を無作為化し、延いてはチャネルコードによって提供される処理利得を完全に利用することができることを保証するために、移動端末特化ビット・レベル・スクランブリングがコードビットに適用される。
【００２６】
データを変調するために、スクランブルされたビットのブロックが、例えば、変調記号毎にそれぞれ２ビット、４ビットおよび６ビットに対応するＱＰＳＫ、１６ＱＡＭおよび６４ＱＡＭのような複素変調記号の対応するブロックに変換される。
【００２７】
基地局ｅＮＢ１、ｅＮＢ２およびｅＮＢ３は、ユーザ端末ＵＥから無線信号として送信されたデータを、それぞれＩ値およびＱ値に対して例えば１８ビットの分解能でＩＱデータ・レベルに変換し、つまりこの例の場合、ＩＱデータ・レベルの変調記号を表現するために３６ビットが使用される。
【００２８】
測定されたＩＱデータは、受信基地局ｅＮＢ１、ｅＮＢ２、ｅＮＢ３でソフト・ビット上でマップされ、それにより変調記号の個々のビットが専用量のソフト・ビットによって表現される。例えば６ソフト・ビットを使用して変調記号の個々のビットを表現することができ、また、変調スキームとしてのＱＰＳＫの場合のように例えば変調記号毎に２ビットが使用される場合、ソフト・ビット・レベルの変調記号をソフト・ビット表現するためには、この例の場合、１２ビットが必要であり、これは、ＩＱデータ・レベルの場合に必要な３６ビットと比較すると著しい縮小である。
【００２９】
ソフト・ビットは、ＦＥＣデコーダ（ＦＥＣ＝順方向誤り修正）および巡回冗長検査（ＣＲＣ）によってコード・ブロックのハード・ビットを決定するために受信基地局ｅＮＢ１、ｅＮＢ２、ｅＮＢ３で使用される。コード・ブロック・レベルのデータを表現するために使用されるビットの量は、データの復号化および巡回冗長検査の実施によるソフト・ビット・レベルと比較すると著しく縮小される。
【００３０】
トランスポート・ブロック・レベルのデータを決定するために、受信基地局ｅＮＢ１、ｅＮＢ２、ｅＮＢ３でコード・ブロック・レベルのデータを使用してさらに巡回冗長検査が実施される。トランスポート・ブロック・レベルのデータを表現するために使用されるビットの量は、巡回冗長検査の実施によるコード・ブロック・レベルと比較すると縮小される。
【００３１】
受信基地局ｅＮＢ１、ｅＮＢ２、ｅＮＢ３は、ＩＱデータ・レベル、ソフト・ビット・レベル、コード・ブロック・レベルおよびトランスポート・ブロック・レベルのうちの１つまたは複数の処理レベルで受信データの少なくとも１つの品質を決定する。
【００３２】
ＩＱデータ・レベルの場合、受信したデータの品質は、例えば受信電力すなわち信号対干渉および雑音比（ＳＩＮＲ）によって予測することができる。
【００３３】
ソフト・ビット・レベルの場合、受信したデータの品質は、例えばＩ値およびＱ値を結合し、かつ、等化した後の信号対干渉および雑音比（ＳＩＮＲ）によって予測することができる。
【００３４】
コード・ブロック・レベルおよびトランスポート・ブロック・レベルの場合、受信したデータの品質は、例えば、復号化が首尾よく成功することを示す正であるか、あるいは復号化が首尾よく成功しないことを示す負であるかのいずれかとなる巡回冗長検査（ＣＲＣ）の結果によって予測することができる。
【００３５】
２つのスレーブ基地局ｅＮＢ２およびｅＮＢ３からマスタ基地局ｅＮＢ１に報告するために使用されるデータの処理レベルは、例えばデコーディング・サクセスのような品質、異なる処理レベル、すなわちトランスポート・ブロック・レベル、コード・ブロック・レベル、ソフト・ビット・レベルまたはＩＱデータ・レベルに応じて動的に選択される。
【００３６】
ＩＱデータ・レベルの場合、受信したデータの品質は、例えば受信電力すなわち信号対干渉および雑音比（ＳＩＮＲ）が定義済み閾値より大きい場合、許容可能な品質として宣言することができ、この閾値を超えると、例えばいくつかの基地局からのＩＱデータを結合することによって、対応するコード・ブロックを復号することができることを期待することができる。前記定義済み閾値は、通信ネットワーク内で実施された測定からのシミュレーションまたは評価によって決定することができる。
【００３７】
ソフト・ビット・レベルの場合、受信したデータの品質は、例えばＩ値およびＱ値を結合し、かつ、等化した後の信号対干渉および雑音比（ＳＩＮＲ）が定義済み閾値より大きい場合、許容可能な品質として宣言することができ、この閾値を超えると、例えばいくつかの基地局からのソフト・ビットを結合することにより、首尾よく復号することができるコード・ブロックを期待することができる。前記定義済み閾値は、通信ネットワーク内で実施された測定からのシミュレーションまたは評価によって決定することができる。
【００３８】
コード・ブロック・レベルおよびトランスポート・ブロック・レベルの場合、受信したデータの品質は、例えば個々の巡回冗長検査（ＣＲＣ）の結果が、復号化が首尾よく成功することを示す正である場合、許容可能な品質として宣言することができる。
【００３９】
本発明の好ましい実施形態では、２つのスレーブ基地局ｅＮＢ２およびｅＮＢ２内でのデータの処理は、そのデータが許容可能な品質を提供しない処理レベルで停止し、依然として許容可能な品質を提供する最小量のデータが転送される処理レベルで、データがマスタ基地局ｅＮＢ１に転送されるため、それ以降の処理レベルのデータの処理は不要である。
【００４０】
上で既に言及したように、図１の、スレーブ基地局ｅＮＢ２およびｅＮＢ３とマスタ基地局ｅＮＢ１の間の迂回中継上、つまりＸ２インタフェース上の、多地点協調受信によって発信される負荷は、スレーブ基地局ｅＮＢ２およびｅＮＢ３からマスタ基地局ｅＮＢ１への受信したアップリンク・データの多重レベル報告によって軽減することができる。トランスポート・ブロック・レベルでの報告は、最も低い迂回中継リソース要求事項を有しており、コード・ブロック・レベル、ソフト・ビット・レベルおよびＩＱデータ・レベルが報告のために使用される場合、この順に要求事項が高くなり、最後のＩＱデータ・レベルが最も高い迂回中継リソース要求事項を有している。スレーブ基地局ｅＮＢ２およびｅＮＢ３は、マスタ基地局ｅＮＢ１にデータを報告するために、最少量のデータであって、依然として例えば許容可能デコーディング・サクセスのような許容可能品質を提供するデータが転送される処理レベルを選択する。
【００４１】
他の実施形態では、協調デバイスすなわち図１のマスタ基地局ｅＮＢ１にデータを送信するために使用されることになるデータの処理レベルは、補助的に、迂回中継帯域幅容量、迂回中継遅延、または例えば内部遅延または基地局ｅＮＢ１〜ｅＮＢ３内で実施された負荷測定から分かり、あるいは外部情報から分かる迂回中継負荷に応じて動的に適合させることができる。
【００４２】
スレーブ基地局ｅＮＢ２、ｅＮＢ３がデータを処理し、ユーザ端末ＵＥからそれら自身が受け取ったデータがマスタ基地局ｅＮＢ１のためには使用することができないデータである、という結論に達すると、受け取ったデータをマスタ基地局ｅＮＢ１に送信せず、単に基地局間Ｎａｃｋをマスタ基地局ｅＮＢ１に送信することによってそのことを知らせ、有用な利用可能データが存在していないことを知らせることができる。データ送信のこの省略により、貴重な迂回中継帯域幅容量を節約することができる。
【００４３】
協調デバイスすなわち図１のマスタ基地局ｅＮＢ１では、スレーブ基地局ｅＮＢ２およびｅＮＢ３から報告されたデータ、およびマスタ基地局ｅＮＢ１が受け取ったデータを使用して復号データが決定される。すべての基地局ｅＮＢ１〜ｅＮＢ３から受け取ったデータを結合することにより、マスタ基地局ｅＮＢ１における復号プロセスの精度を改善することができる。
【００４４】
少なくとも２つの基地局ｅＮＢ１〜ｅＮＢ３からのＩＱデータ・レベルのデータは、例えばマスタ基地局ｅＮＢ１でＩ値およびＱ値を加え、かつ、得られたＩ値およびＱ値を好ましくはデータを復号するための重み付きベクトルを使用して結合することによって結合することができる。
【００４５】
少なくとも２つの基地局ｅＮＢ１〜ｅＮＢ３からのソフト・ビット・レベルのデータは、例えばマスタ基地局ｅＮＢ１で、異なる基地局ｅＮＢ１〜ｅＮＢ３からのソフト・ビットの単純な加算に基づいて平均値を計算することによって結合することができる。
【００４６】
少なくとも２つの基地局ｅＮＢ１〜ｅＮＢ３からのコード・ブロック・レベルまたはトランスポート・ブロック・レベルのデータは、例えばマスタ基地局ｅＮＢ１で、例えばコード・ブロックまたはトランスポート・ブロックのためのほとんどの可能データが選択される比較プロセスによって結合することができ、コード・ブロックまたはトランスポート・ブロックは、それらがすべての報告スレーブ基地局ｅＮＢ２、ｅＮＢ３に対して同じであるか、あるいは平均値が、異なる基地局ｅＮＢ１〜ｅＮＢ３からのコード・ブロックまたはトランスポート・ブロックに基づいて、コード・ブロックまたはトランスポート・ブロックに対して計算される場合にのみ、適切として許容される。
【００４７】
マスタ基地局ｅＮＢ１が、結合するための、異なる基地局ｅＮＢ１〜ｅＮＢ３からの異なる処理レベルのデータを有している場合、マスタ基地局ｅＮＢ１は、より低い処理レベルのデータを無視するか、あるいはより高い処理レベルのデータを結合することができる。例えばマスタ基地局ｅＮＢ１が、第１のスレーブ基地局ｅＮＢ２からのトランスポート・ブロック・レベルのデータ、および第２のスレーブ基地局ｅＮＢ３からのコード・ブロック・レベルのデータを有している場合、マスタ基地局ｅＮＢ１は、第２のスレーブ基地局ｅＮＢ３からのコード・ブロック・レベルのデータを無視することができ、あるいはマスタ基地局ｅＮＢ１が、第１のスレーブ基地局ｅＮＢ２からのソフト・ビット・レベルのデータ、および第２のスレーブ基地局ｅＮＢ３からのＩＱデータ・レベルのデータを有している場合、マスタ基地局ｅＮＢ１は、スレーブ基地局ｅＮＢ２およびｅＮＢ３の両方からのソフト・ビット・レベルのデータを使用してデータを復号することができる。
【００４８】
図２は、本発明による、基地局から協調デバイスへデータを送信するために基地局で使用されることになるデータの処理レベルを選択するための方法を示す流れ図を示したものである。
【００４９】
この流れ図は、データを報告するための異なる処理レベルで構成されており、最も高い処理レベルとして一番上のトランスポート・ブロック・レベルで始まり、次にコード・ブロック・レベルおよびソフト・ビット・レベルが続き、一番下のＩＱデータ・レベルで終わっている。
【００５０】
異なる処理レベルの中から報告のために使用されることになる処理レベルを決定する順序は、一番上の最も高い処理レベルから順に、流れ図の一番下の最も低い処理レベルになっており、データを処理する順序は、一番下の最も低い処理レベルから一番上の最も高い処理レベルの順になっている。
【００５１】
第１のステップ１でユーザ端末ＵＥからのアップリンク・データが基地局で受信される。
【００５２】
第２のステップ２で、協調デバイスにデータを報告するための報告レベルとしてトランスポート・ブロック・レベルが設定されているかどうかチェックされ、また、トランスポート・ブロックが首尾よく復号されたかどうかチェックされる。
【００５３】
協調デバイスにデータを報告するための報告レベルとしてトランスポート・ブロック・レベルが設定されている場合、また、トランスポート・ブロックが首尾よく復号されている場合、第３のステップ３で、データが迂回中継を介してトランスポート・ブロック・レベルで協調デバイスに送信され、手順が停止する。
【００５４】
協調デバイスにデータを報告するための報告レベルとしてトランスポート・ブロック・レベルが設定されていない場合、あるいはトランスポート・ブロックが首尾よく復号されていない場合、第４のステップ４で、協調デバイスにデータを報告するための報告レベルとしてコード・ブロック・レベルが設定されているかどうかチェックされ、また、１つまたは複数のコード・ブロックが首尾よく復号されたかどうかチェックされる。
【００５５】
協調デバイスにデータを報告するための報告レベルとしてコード・ブロック・レベルが設定されている場合、第５のステップ５で、首尾よく復号されたコード・ブロックが迂回中継を介してコード・ブロック・レベルで協調デバイスに送信される。
【００５６】
協調デバイスにデータを報告するための報告レベルとしてコード・ブロック・レベルが設定されていない場合、あるいは少なくとも１つのコード・ブロックが首尾よく復号されていない場合、第６のステップ６で、協調デバイスにデータを報告するための報告レベルとしてソフト・ビット・レベルが設定されているかどうかチェックされ、また、首尾よく復号されなかった少なくとも１つのコード・ブロックのソフト・ビットの品質が許容可能であるかどうかチェックされる。
【００５７】
協調デバイスにデータを報告するための報告レベルとしてソフト・ビット・レベルが設定されている場合、第７のステップ７で、首尾よく復号されなかった少なくとも１つのコード・ブロックのソフト・ビットであって、許容可能な品質を有するソフト・ビットが、迂回中継を介してソフト・ビット・レベルで協調デバイスに送信される。
【００５８】
協調デバイスにデータを報告するための報告レベルとしてソフト・ビット・レベルが設定されていない場合、あるいは少なくとも１つのソフト・ビットの品質が許容可能でない場合、第８のステップ８で、協調デバイスにデータを報告するための報告レベルとしてＩＱデータ・レベルが設定されているかどうかチェックされる。
【００５９】
協調デバイスにデータを報告するための報告レベルとしてＩＱデータ・レベルが設定されていない場合、手順が停止する。
【００６０】
協調デバイスにデータを報告するための報告レベルとしてＩＱデータ・レベルが設定されている場合、第９のステップ９で、ＩＱデータの品質が許容可能であるかどうかチェックされる。
【００６１】
ＩＱデータの品質が許容可能である場合、第１０のステップ１０で、首尾よく復号されなかった少なくとも１つのコード・ブロックのＩＱデータが迂回中継を介してＩＱデータ・レベルで協調デバイスに送信され、手順が停止する。
【００６２】
ＩＱデータの品質が許容可能ではない場合、第１１のステップ１１で、有用なデータを利用することができないことを知らせる基地局間Ｎａｃｋがマスタ基地局に送信され、手順が停止する。
【００６３】
図３は、本発明による多地点協調受信のため、２つのスレーブ基地局ｅＮＢ２およびｅＮＢ３からマスタ基地局ｅＮＢ１への異なる処理レベルでのデータ伝送のための一例を示したものである。
【００６４】
ユーザ端末ＵＥは、無線インタフェースを介してアップリンクでデータを伝送し、２つのスレーブ基地局ｅＮＢ２およびｅＮＢ３ならびにマスタ基地局ｅＮＢ１は、それぞれ前記データを受信する。図３には、前記アップリンク・データの２つのトランスポート・ブロックＴＢ１およびＴＢ２が例示的に示されている。
【００６５】
第１のスレーブ基地局ｅＮＢ２では、無線インタフェースを介して受信した第１のトランスポート・ブロックＴＢ１内のデータは、トランスポート・ブロック・レベルでは場合によっては首尾よく復号することができない可能性がある。しかしながら、第１のトランスポート・ブロックＴＢ１は、３つのコード・ブロックＣＢ１、ＣＢ２およびＣＢ３からなっており、そのうちの２つのコード・ブロックＣＢ１およびＣＢ３は、コード・ブロック・レベルで首尾よく復号することができる。コード・ブロックＣＢ２のデータは、ソフト・ビット・レベルの許容可能な品質を有している。
【００６６】
第１のスレーブ基地局ｅＮＢ２では、無線インタフェースを介して受信した第２のトランスポート・ブロックＴＢ２内のデータは、トランスポート・レベルあるいはコード・ブロック・レベルのいずれのレベルにおいても首尾よく復号することはできない。しかしながら、第２のトランスポート・ブロックＴＢ２のデータは、ソフト・ビット・レベルの許容可能な品質を有している。
【００６７】
第１のトランスポート・ブロックＴＢ１のデータは、Ｘ２迂回中継を介して、首尾よく復号されたコード・ブロックＣＢ１およびＣＢ３に対してはコード・ブロック・レベルで、また、コード・ブロックＣＢ２のデータは、ソフト・ビット・レベルの許容可能な品質を有しているため、コード・ブロックＣＢ２に対してはソフト・ビット・レベルで、第１のスレーブ基地局ｅＮＢ２からマスタ基地局ｅＮＢ１へ伝送される。
【００６８】
第２のトランスポート・ブロックＴＢ２のデータは、ソフト・ビット・レベルの許容可能な品質を有しているため、第２のトランスポート・ブロックＴＢ２のデータは、Ｘ２迂回中継を介して、ソフト・ビット・レベルで第１のスレーブ基地局ｅＮＢ２からマスタ基地局ｅＮＢ１へ伝送される。
【００６９】
第２のスレーブ基地局ｅＮＢ３では、無線インタフェースを介して受信した第１のトランスポート・ブロックＴＢ１内のデータは、トランスポート・ブロック・レベルで首尾よく復号することができる。
【００７０】
第２のスレーブ基地局ｅＮＢ３では、無線インタフェースを介して受信した第２のトランスポート・ブロックＴＢ２内のデータは、トランスポート・ブロック・レベルあるいはコード・ブロック・レベルでは場合によっては首尾よく復号することができない可能性があり、ＩＱデータ・レベルの許容可能な品質を有しているにすぎない。
【００７１】
第１のトランスポート・ブロックＴＢ１のデータは、トランスポート・ブロック・レベルで首尾よく復号することができるため、第１のトランスポート・ブロックＴＢ１のデータは、Ｘ２迂回中継を介して、トランスポート・ブロック・レベルで第２のスレーブ基地局ｅＮＢ３からマスタ基地局ｅＮＢ１へ伝送される。
【００７２】
第２のトランスポート・ブロックＴＢ２のデータは、ＩＱデータ・レベルの許容可能な品質を有しているにすぎないため、第２のトランスポート・ブロックＴＢ２のデータは、Ｘ２迂回中継を介して、ＩＱデータ・レベルで第２のスレーブ基地局ｅＮＢ３からマスタ基地局ｅＮＢ１へ伝送される。
【００７３】
マスタ基地局ｅＮＢ１では、無線インタフェースを介して受信したトランスポート・ブロックＴＢ１内のデータは、トランスポート・ブロック・レベルでは場合によっては首尾よく復号することができない可能性がある。しかしながら、トランスポート・ブロックＴＢ１は、３つのコード・ブロックＣＢ１、ＣＢ２およびＣＢ３からなっており、そのうちの２つのコード・ブロックＣＢ１およびＣＢ２、コード・ブロック・レベルで首尾よく復号することができる。コード・ブロックＣＢ３のデータは、いずれの処理レベルでも許容可能な品質を有していない。
【００７４】
マスタ基地局ｅＮＢ１は、第１のトランスポート・ブロックＴＢ１内のデータを復号するために、第１のトランスポート・ブロックＴＢ１が第２のスレーブ基地局ｅＮＢ３内で首尾よく復号されると、第２のスレーブ基地局ｅＮＢ３から伝送されるデータを使用している。
【００７５】
ソフト・ビット・レベルは、第２のトランスポート・ブロックＴＢ２内のデータのための許容可能な品質を有する最も高い処理レベルであるため、マスタ基地局ｅＮＢ１は、第２のトランスポート・ブロックＴＢ２内のデータを復号するために、マスタ基地局ｅＮＢ１および第１のスレーブ基地局ｅＮＢ２からのソフト・ビット・レベルのデータの結合を使用している。他の実施形態では、第２のスレーブ基地局ｅＮＢ３からのＩＱデータをマスタ基地局でソフト・ビットに変換することができ、前記ソフト・ビットを補助的に使用して第２のトランスポート・ブロックＴＢ２内のデータを復号することができる。
【００７６】
本発明の一実施形態では、例えばスレーブ基地局ｅＮＢ２およびｅＮＢ３のような基地局は、すべてのユーザ端末から受信したデータを例えばマスタ基地局ｅＮＢ１のような協調デバイスに送信する。次に、協調デバイスは、すべてのユーザ端末からの多地点協調受信を使用してデータを復号するか、あるいは多地点協調受信に加わっているものとして協調デバイスに知られているユーザ端末からの多地点協調受信のみを使用してデータを復号する。
【００７７】
本発明の他の実施形態では、多地点協調受信は、頑強性のため、つまり基地局が変調および符号化スキームの最小頑強性を備えたユーザ端末から協調デバイスにのみデータを送信するよう、定義済み最小要求事項と共に変調および符号化スキーム（ＭＣＳ）を使用しているユーザ端末のためにのみ実施されることは予め定義済みであり、また、基地局には分かっている。例えば、多地点協調受信は、４−ＱＡＭ以下の変調スキームおよびコード・レートが０．５以下の符号化スキームを備えたユーザ端末のためにのみ実施され、また、データが基地局から協調デバイスに送信されるユーザ端末のためにのみ実施される。
【００７８】
本発明のさらに他の実施形態では、協調デバイスすなわち上で説明した実施形態におけるマスタ基地局ｅＮＢ１は、多地点協調受信に加わっている、例えば上で説明した実施形態におけるユーザ端末ＵＥのようなユーザ端末の、例えば時間−周波数リソースのような無線リソースを示すスケジューリング情報を、好ましくは迂回中継を介して２つのスレーブ基地局ｅＮＢ２およびｅＮＢ３に送信する。スレーブ基地局ｅＮＢ２およびｅＮＢ３は、前記スケジューリング情報によって、どの無線リソース上のどのデータが多地点協調受信に加わっているユーザ端末に属しているかを知ることになり、延いては迂回中継を介して協調デバイスに伝送しなければならないデータを知ることになる。
【００７９】
本発明のさらに他の実施形態では、基地局は、多地点協調受信に加わっていないユーザ端末からの信号をオーバオールＩＱデータから除去し、それにより協調デバイスに送信されることになる多地点協調受信に加わっているユーザ端末のための干渉低減ＩＱデータが得られる。干渉を除去するために、いわゆる逐次干渉キャンセラ（ＳＩＣ）を使用することができ、基地局は、例えば協調デバイスから送信されるスケジューリング情報によって、多地点協調受信に加わっているユーザ端末を知ることになる。
【図１】
0005323983.tif 000002
【図２】
0005323983.tif 000003
【図３】
0005323983.tif 000004